(57)【要約】  本発明の実施例では信号測定方法、ユーザ装置及び基地局が提供される。前記信号測定方法は、ユーザ装置在一部のサブフレーム又は全てのサブフレーム中の時間周波数リソース上で受信信号に対して測定を行い、第一測定結果及び第二測定結果を取得し；及び、前記第一測定結果及び第二測定結果に基づいて、チャネル品質を示すための情報を取得することを含む。本発明の実施例により、クローズ状態にあるセルの影響を考慮することができ、これにより、測定結果を正確に得ることができる。
2016536838.tif 000002
【特許請求の範囲】
【請求項１】
信号測定方法であって、
ユーザ装置が、一部のサブフレーム又は全てのサブフレーム中の時間周波数リソース上で受信信号に対して測定を行い、第一測定結果及び第二測定結果を取得し；及び
前記第一測定結果及び第二測定結果に基づいて、チャネル品質を示すための情報を取得することを含み、
前記第一測定結果は、受信した等価なノイズ及び干渉パワーの和であり、前記第二測定結果は、前記時間周波数リソース上での参照信号に対しての測定の結果である、方法。
【請求項２】
請求項1に記載の信号測定方法であって、
受信した等価なノイズ及び干渉パワーの和は、全てのOFDMシンボル上で、測定帯域幅内において観察し得る受信パワーの線形平均値であり；又は、測定のための信号を含まないOFDMシンボル上で、測定帯域幅内において観察し得る受信パワーの線形平均値である、方法。
【請求項３】
請求項1に記載の信号測定方法であって、
前記一部のサブフレームは上位層シグナリングにより構成され、前記一部のサブフレームの構成情報は周期情報及び各周期内の一部のサブフレームの指示情報を含む、方法。
【請求項４】
請求項1に記載の信号測定方法であって、
前記チャネル品質を示すための情報は信号対干渉雑音比を含み；又は、受信信号強度指示及び／又は参照信号受信品質を含む、方法。
【請求項５】
請求項1に記載の信号測定方法であって、
前記第一測定結果を取得するための時間周波数リソースは、
前記一部のサブフレーム又は全てのサブフレーム中の全てのOFDMシンボルの複数の物理リソースブロックの全て又は一部のサブキャリア；又は
前記一部のサブフレーム又は全てのサブフレーム中の一部のOFDMシンボルの複数の物理リソースブロックの全て又は一部のサブキャリアを含む、方法。
【請求項６】
請求項1に記載の信号測定方法であって、
前記ユーザ装置が測定情報を基地局に報告することを更に含み、
前記測定情報は、前記第一測定結果、前記第二測定結果、及び、前記チャネル品質を示すための情報のうちの１つ又は組み合わせを含む、方法。
【請求項７】
信号測定方法であって、
ユーザ装置が、一部のサブフレーム又は全てのサブフレーム中の時間周波数リソース上で受信信号に対して測定を行い、第一測定結果及び第二測定結果を取得し、前記第一測定結果のリソース及び前記第二測定結果のリソースは、それぞれ、構成されているものであり；及び
前記第一測定結果及び第二測定結果に基づいて、チャネル品質を示すための情報を取得することを含む、方法。
【請求項８】
請求項7に記載の信号測定方法であって、
前記第一測定結果及び前記第二測定結果は、それぞれ、シグナリングにより明示的に構成されている測定のためのサブフレームパターンを採用する、方法。
【請求項９】
請求項7に記載の信号測定方法であって、
シグナリングにより構成されている測定のための１セットのサブフレームパターンであって、１つの測定結果を明示的に指示し、もう１つの測定結果を暗黙的に指示するサブフレームパターンを採用する、方法。
【請求項１０】
請求項7に記載の信号測定方法であって、
前記第一測定結果のために構成されているリソース及び前記第二測定結果のために構成されているリソースは重なり合わない、方法。
【請求項１１】
請求項7に記載の信号測定方法であって、
前記第一測定結果のために構成されているリソース及び前記第二測定結果のために構成されているリソースは完全に重なり合うことができない、方法。
【請求項１２】
請求項7に記載の信号測定方法であって、
前記第一測定結果及び第二測定結果に基づいて、チャネル品質を示すための情報を取得することは、前記第一測定結果及び前記第二測定結果の和を計算し、受信信号強度指示情報を得ることを含む、方法。
【請求項１３】
請求項7に記載の信号測定方法であって、
複数セットのリソースを前記第一測定結果の取得のために構成し、及び／又は、複数セットのリソースを前記第二測定結果の取得のために構成する、方法。
【請求項１４】
請求項7に記載の信号測定方法であって、
クローズ状態にあるセルの送信信号を含まないサブフレーム中でオープン状態にあるセルの干渉を測定し、前記第一測定結果を得ることを更に含む、方法。
【請求項１５】
請求項14に記載の信号測定方法であって、
クローズ状態にあるセルの送信信号を含まないサブフレーム中で信号強度を測定し、オープン状態にあるセルの第二検測結果を取得し；又は
クローズ状態にあるセルの送信信号のサブフレーム中で信号強度を測定し、前記クローズ状態にあるセルの第二検測結果を得ることを更に含む、方法。
【請求項１６】
請求項7に記載の信号測定方法であって、
前記ユーザ装置が測定情報を基地局に報告することを更に含み、
前記測定情報は、前記第一測定結果、前記第二測定結果、及び、前記チャネル品質を示すための情報のうちの１つ又は組み合わせを含む、方法。
【請求項１７】
信号測定方法であって、
基地局が、上位層シグナリングによりユーザ装置のためにリソースを構成し、これにより、前記ユーザ装置は、一部のサブフレーム又は全てのサブフレーム中の時間周波数リソース上で受信信号に対して測定を行い、第一測定結果及び第二測定結果を得ることを含み、
前記第一測定結果は、受信した等価なノイズ及び干渉パワーの和であり、前記第二測定結果は、前記時間周波数リソース上での参照信号に対しての測定の結果である、方法。
【請求項１８】
請求項17に記載の信号測定方法であって、
前記基地局が前記ユーザ装置の送信した測定情報を受信することを更に含む、方法。
【請求項１９】
請求項18に記載の信号測定方法であって、
前記測定情報は、第一測定結果、第二測定結果、及び、チャネル品質を示すための情報のうち１つ又は組み合わせを含み、前記チャネル品質を示すための情報は、前記ユーザ装置により前記第一測定結果及び前記第二測定結果に基づいて取得される、方法。
【請求項２０】
請求項18に記載の信号測定方法であって、
前記基地局が前記測定情報に基づいて、チャネル品質を示すための情報を計算することを更に含む、方法。
【請求項２１】
信号測定方法であって、
基地局が、ユーザ装置のために第一測定結果及び第二測定結果の取得のためのリソースをそれぞれ構成し、これにより、前記ユーザ装置は、一部のサブフレーム又は全てのサブフレーム中の時間周波数リソース上で受信信号に対して測定を行い、前記第一測定結果及び前記第二測定結果を得ることを含む、方法。
【請求項２２】
請求項21に記載の信号測定方法であって、
前記基地局が前記ユーザ装置の送信した測定情報を受信することを更に含む、方法。
【請求項２３】
請求項22に記載の信号測定方法であって、
前記測定情報は、第一測定結果、第二測定結果、及び、チャネル品質を示すための情報のうち１つ又は組み合わせを含み、前記チャネル品質を示すための情報は、前記ユーザ装置により前記第一測定結果及び前記第二測定結果に基づいて取得される、方法。
【請求項２４】
請求項22に記載の信号測定方法であって、
前記基地局が前記測定情報に基づいて、チャネル品質を示すための情報を計算することを更に含む、方法。
【請求項２５】
請求項21に記載の信号測定方法であって、
前記基地局が、前記ユーザ装置のために複数セットのリソースを前記第一測定結果の取得のために構成し、及び／又は、複数セットのリソースを前記第二測定結果の取得のために構成することを更に含む、方法。
【請求項２６】
ユーザ装置であって、
一部のサブフレーム又は全てのサブフレーム中の時間周波数リソース上で受信信号に対して測定を行い、第一測定結果及び第二測定結果を取得するための信号測定ユニットであって、前記第一測定結果は、等価なノイズ及び干渉パワーの和であり、前記第二測定結果は、前記時間周波数リソース上での参照信号に対しての測定の結果である、信号測定ユニット；及び
前記第一測定結果及び前記第二測定結果に基づいて、チャネル品質を示すための情報を取得するための情報取得ユニットを含む、ユーザ装置。
【請求項２７】
請求項26に記載のユーザ装置であって、
測定情報を基地局に報告するための情報報告ユニットを更に含み、
前記測定情報は、前記第一測定結果、前記第二測定結果、及び、前記チャネル品質を示すための情報のうちの１つ又は組み合わせを含む、ユーザ装置。
【請求項２８】
ユーザ装置であって、
一部のサブフレーム又は全てのサブフレーム中の時間周波数リソース上で受信信号に対して測定を行い、第一測定結果及び第二測定結果を取得するための信号測定ユニットであって、前記第一測定結果のリソース及び前記第二測定結果のリソースはそれぞれ構成されているものである、信号測定ユニット；及び
前記第一測定結果及び第二測定結果に基づいて、チャネル品質を示すための情報を取得するための情報取得ユニットを含む、ユーザ装置。
【請求項２９】
請求項28に記載のユーザ装置であって、
測定情報を基地局に報告するための情報報告ユニットを更に含み、
前記測定情報は、前記第一測定結果、前記第二測定結果、及び、前記チャネル品質を示すための情報のうちの１つ又は組み合わせを含む、ユーザ装置。
【請求項３０】
基地局であって、
リソース構成ユニットを含み、
前記リソース構成ユニットは、上位層シグナリングによりユーザ装置のためにリソースを構成し、これにより、前記ユーザ装置は、一部のサブフレーム又は全てのサブフレーム中の時間周波数リソース上で受信信号に対して測定を行い、第一測定結果及び第二測定結果を取得し、
前記第一測定結果は、受信した等価なノイズ及び干渉パワーの和であり、前記第二測定結果は、前記時間周波数リソース上での参照信号に対しての測定の結果である、基地局。
【請求項３１】
請求項30に記載の基地局であって、
前記ユーザ装置が送信した測定情報を受信するための情報受信ユニットを更に含み、
前記測定情報は、第一測定結果、第二測定結果、及び、チャネル品質を示すための情報のうちの１つ又は組み合わせを含み、前記チャネル品質を示すための情報は、前記ユーザ装置により前記第一測定結果及び前記第二測定結果に基づいて取得される、基地局。
【請求項３２】
基地局であって、
リソース構成ユニットを含み、
前記リソース構成ユニットは、ユーザ装置のために第一測定結果及び第二測定結果のためのリソースをそれぞれ構成し、これにより、前記ユーザ装置は、一部のサブフレーム又は全てのサブフレーム中の時間周波数リソース上で受信信号に対して測定を行い、前記第一測定結果及び前記第二測定結果を得る、基地局。
【請求項３３】
請求項32に記載の基地局であって、
前記ユーザ装置が送信した測定情報を受信するための情報受信ユニットを更に含み、
前記測定情報は、第一測定結果、第二測定結果、及び、チャネル品質を示すための情報のうちの１つ又は組み合わせを含み、前記チャネル品質を示すための情報は、前記ユーザ装置により前記第一測定結果及び前記第二測定結果に基づいて取得される、基地局。
【請求項３４】
通信システムであって、
請求項26又は27に記載のユーザ装置、及び、請求項30又は31に記載の基地局を含み；或いは
請求項28又は29に記載のユーザ装置、及び、請求項32又は33に記載の基地局を含む、通信システム。
【請求項３５】
コンピュータ可読プログラムであって、
ユーザ装置中で前記プログラムを実行する時に、前記プログラムは、コンピュータに、前記ユーザ装置中で請求項1〜16の任意の１項に記載の信号測定方法を実行させるための、プログラム。
【請求項３６】
コンピュータ可読プログラムを記憶した記憶媒体であって、
前記コンピュータ可読プログラムは、コンピュータに、ユーザ装置中で請求項1〜16の任意の１項に記載の信号測定方法を実行させる、記憶媒体。
【請求項３７】
コンピュータ可読プログラムであって、
基地局中で前記プログラムを実行する時に、前記プログラムは、コンピュータに、前記基地局中で請求項17〜25の任意の１項に記載の信号測定方法を実行させるための、プログラム。
【請求項３８】
コンピュータ可読プログラムを記憶した記憶媒体であって、
前記コンピュータ可読プログラムは、コンピュータに、基地局中で請求項17〜25の任意の１項に記載の信号測定方法を実行させる、記憶媒体。
【発明の詳細な説明】
【技術分野】
【０００１】
本発明は通信分野に関し、特に、信号測定方法、ユーザ装置及び基地局に関する。
【背景技術】
【０００２】
既存のLTE／LTE-Aシステムでは、ユーザ装置は、受信信号に対して測定を行うことができ、サービングセル及び隣接セル等の参照信号受信パワー（RSRP、Reference  Signal  Received  Power）、又は、受信信号強度指示（RSSI、Received  Signal  Strength  Indicator）、又は、参照信号受信品質（RSRQ、Reference  Signal  Received  Quality）等を測定することができる。
【０００３】
例えば、RSRPは、あるシンボル内で、セル固有参照信号（Cell-specific  Reference  Signal）の全てのリソースエレメント（RE）上で受信した信号パワーの線形平均値を搬送するように定義されている。RSSIは、受信した総パワーの線形平均と思われており、同一周波数（Co-channel（同一チャネル））のサービングセル及び非サービングセルの信号、隣接チャネルの干渉及び熱ノイズ等を含む。RSRQは、N*RSRP／(LTEキャリアのRSSI）と定義されており、そのうち、Nは、LTEキャリアのRSSIの測定帯域幅のリソースブロック（RB）の個数である。
【０００４】
ユーザ装置は、チャネル状態情報（CSI、Channel  State  Information）の測定を行っても良く、例えば、サービングセルのチャネル状態情報参照信号（CSI-RS、Channel  State  Information  Reference  Signal）又はセル専用の共通参照信号（CRS、Common  Reference  Signal）を測定することで、サービングセルのチャネル情報を取得し、また、構成された、干渉を測定するためのリソース（IMR）又はCRSを測定し、隣接セルによる干渉を測定することにより、チャネル品質指示（CQI、Channel  quality  indicator）を推定することができる。無線リソース管理（RRM、Radio  Resource  Management）測定により得られるチャネルの長期統計品質とは異なり、CSI測定は、短期チャネル品質に重点を置く。
【０００５】
一方では、今のところ、スモールセル（Small  cell）を含む異質ネットワークが出現している。省エネ等の面を考慮して、幾つかのスモールセルは、ある時刻に、クローズ又は休眠状態にあるかもしれない。このような場合、クローズ又は休眠状態にあるスモールセル（以下、クローズ状態にあるセルと略称される）は、比較的長い周期内でのみディスカバリー（Discovery）信号を送信し、又は、ディスカバリー信号及び測定信号を送信し；データ復調をサポートする信号を送信しない。
【０００６】
また、オープン状態にあるSmall  cell及びクローズ状態にあるSmall  cellが同じサブフレーム中で複数cellの信号を送信する場合、幾つかの信号はパワー増強されたものであっても良く、幾つかの信号はパワー減少されたものであっても良い。例えば、クローズ状態にあるSmall  cellの信号はパワーが増強されても良く、又は、オープン状態にあるSmall  cellの信号はパワーが減少されても良い。
【０００７】
しかしながら、発明者は、今のところ、受信信号を測定する技術案ではクローズ状態にあるセルの影響を考慮せず、これにより、測定結果を正確に得ることができないということを発見した。
【０００８】
なお、上述の背景技術についての紹介は、本発明の技術案を明確且つ完全に説明し、当業者がそれを理解しやすいためのものである。これらの案は、本発明の背景技術の一部として記述されているため、当業者にとって周知であると解釈すべきではない。
【発明の概要】
【発明が解決しようとする課題】
【０００９】
本発明の実施例は信号測定方法、ユーザ装置及び基地局を提供し、その目的は、受信信号測定時に、クローズ状態にあるセルの影響を考慮することで、測定結果を正確に得ることができる。
【課題を解決するための手段】
【００１０】
本発明の実施例の一側面によれば、信号測定方法が提供され、前記信号測定方法は、
ユーザ装置が、一部のサブフレーム又は全てのサブフレーム中の時間周波数リソース上で受信信号に対して測定を行い、第一測定結果及び第二測定結果を取得し；及び
前記第一測定結果及び第二測定結果に基づいて、チャネル品質を示すための情報を取得することを含み、
そのうち、前記第一測定結果は、受信した等価なノイズ及び干渉パワーの和であり；前記第二測定結果は、前記時間周波数リソース上での参照信号に対しての測定の結果である。
【００１１】
本発明の実施例の他の側面によれば、信号測定方法が提供され、前記信号測定方法は、
ユーザ装置が、一部のサブフレーム又は全てのサブフレーム中の時間周波数リソース上で受信信号に対して測定を行い、第一測定結果及び第二測定結果を取得し；及び
前記第一測定結果及び第二測定結果に基づいて、チャネル品質を示すための情報を取得することを含み、
そのうち、前記第一測定結果のリソース及び前記第二測定結果のリソースは、それぞれ、構成されているものである。
【００１２】
本発明の実施例の他の側面によれば、信号測定方法が提供され、前記信号測定方法は、
基地局が、上位層シグナリングによりユーザ装置のためにリソースを構成し、これにより、前記ユーザ装置は、一部のサブフレーム又は全てのサブフレーム中の時間周波数リソース上で受信信号に対して測定を行い、第一測定結果及び第二測定結果を取得し；
そのうち、前記第一測定結果は、受信した等価なノイズ及び干渉パワーの和であり；前記第二測定結果は、前記時間周波数リソース上での参照信号に対しての測定の結果である。
【００１３】
本発明の実施例の他の側面によれば、信号測定方法が提供され、前記信号測定方法は、
基地局が、ユーザ装置のために、それぞれ、第一測定結果及び第二測定結果のためのリソース構成し、これにより、前記ユーザ装置は、一部のサブフレーム又は全てのサブフレーム中の時間周波数リソース上で受信信号に対して測定を行い、前記第一測定結果及び前記第二測定結果を取得する。
【００１４】
本発明の実施例の他の側面によれば、ユーザ装置が提供され、前記ユーザ装置は、
一部のサブフレーム又は全てのサブフレーム中の時間周波数リソース上で受信信号に対して測定を行い、第一測定結果及び第二測定結果を取得するための信号測定ユニットであって、そのうち、前記第一測定結果は、ノイズ及び干渉パワーの和であり、前記第二測定結果は、前記時間周波数リソース上での参照信号に対しての測定の結果である、信号測定ユニット；及び
前記第一測定結果及び第二測定結果に基づいて、チャネル品質を示すための情報を取得するための情報取得ユニットを含む。
【００１５】
本発明の実施例の他の側面によれば、ユーザ装置が提供され、前記ユーザ装置は、
一部のサブフレーム又は全てのサブフレーム中の時間周波数リソース上で受信信号に対して測定を行い、第一測定結果及び第二測定結果を取得するための信号測定ユニットであって、そのうち、前記第一測定結果のリソース及び前記第二測定結果のリソースは、それぞれ、構成されているものである、信号測定ユニット；及び
前記第一測定結果及び第二測定結果に基づいて、チャネル品質を示すための情報を取得するための情報取得ユニットを含む。
【００１６】
本発明の実施例の他の側面によれば、基地局が提供され、前記基地局は、
上位層シグナリングによりユーザ装置のためにリソースを構成し、これにより、前記ユーザ装置は、一部のサブフレーム又は全てのサブフレーム中の時間周波数リソース上で受信信号に対して測定を行い、第一測定結果及び第二測定結果を受信するためのリソース構成ユニットを含み、
そのうち、前記第一測定結果は、受信した等価なノイズ及び干渉パワーの和であり；前記第二測定結果は、前記時間周波数リソース上での参照信号に対しての測定の結果である。
【００１７】
本発明の実施例の他の側面によれば、基地局が提供され、前記基地局は、
ユーザ装置のために、それぞれ、第一測定結果及び第二測定結果を得るためのリソースを構成し、これにより、前記ユーザ装置は、一部のサブフレーム又は全てのサブフレーム中の時間周波数リソース上で受信信号に対して測定を行い、前記第一測定結果及び前記第二測定結果を得るためのリソース構成ユニットを含む。
【００１８】
本発明の実施例の他の側面によれば、通信システムが提供され、それは、上述のようなユーザ装置及び基地局を含む。
【００１９】
本発明の実施例の他の側面によれば、コンピュータ可読プログラムが提供され、そのうち、ユーザ装置中で前記プログラムを実行する時に、前記プログラムは、コンピュータに、前記ユーザ装置中で上述のような信号測定方法を実行させる。
【００２０】
本発明の実施例の他の側面によれば、コンピュータ可読プログラムを記憶した記憶媒体が提供され、そのうち、前記コンピュータ可読プログラムは、コンピュータに、ユーザ装置中で上述のような信号測定方法を実行させる。
【００２１】
本発明の実施例の他の側面によれば、コンピュータ可読プログラムが提供され、そのうち、基地局中で前記プログラムを実行する時に、前記プログラムは、コンピュータに、前記基地局中で上述のような信号測定方法を実行させる。
【００２２】
本発明の実施例の他の側面によれば、コンピュータ可読プログラムを記憶した記憶媒体が提供され、そのうち、前記コンピュータ可読プログラムは、コンピュータに、基地局中で上述のような信号測定方法を実行させる。
【００２３】
本発明の実施例の有益な効果は、一部のサブフレーム又は全てのサブフレーム中の時間周波数リソース上で受信信号に対して測定を行い、第一測定結果及び第二測定結果を取得し、そして、第一測定結果及び第二測定結果に基づいて、チャネル品質を示すための情報を取得することで、クローズ状態にあるセルの影響を考慮することができ、これにより、測定結果を正確に得ることができる。
【００２４】
後述の説明及び図面を参照することで、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００２５】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２６】
なお、「含む／有する」のような用語は、本明細書に使用されるときに、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００２７】
以下の図面を参照することで本発明の多くの側面をより良く理解することができる。なお、図面中の要素は、比例して描かれたものではなく、本発明の原理を示すためだけのものである。本発明の一部を便利に説明及び例示するために、図面中の対応する一部は、拡大又は縮小されることがある。
【００２８】
また、本発明の１つの図面又は実施方式に記載の要素及び特徴は、１つ又は複数の他の図面又は実施方式に示す要素及び特徴と組み合わせることができる。さらに、図面では、類似した符号は幾つかの図面中の対応する要素を示し、また、複数の実施方式に使用される対応する要素を示すために用いることもできる。
【図１】本発明の実施例における信号測定方法のフローチャートである。
【図２】本発明の実施例における信号測定方法の他のフローチャートである。
【図３】１つのサブフレーム中の全ての14個のOFDMシンボル上での測定を示す図である。
【図４】１つのサブフレーム中の一部のOFDMシンボル上での測定を示す図である。
【図５】本発明の実施例における信号測定方法の他のフローチャートである。
【図６】本発明の実施例における信号測定の一例を示す図である。
【図７】本発明の実施例における信号測定の他の例を示す図である。
【図８】本発明の実施例におけるユーザ装置の構成図である。
【図９】本発明の実施例におけるユーザ装置の他の構成図である。
【図１０】本発明の実施例における信号測定方法の他のフローチャートである。
【図１１】本発明の実施例における信号測定方法の他のフローチャートである。
【図１２】本発明の実施例における基地局の構成図である。
【図１３】本発明の実施例における基地局の他の構成図である。
【図１４】本発明の実施例における通信システムの構成図である。
【発明を実施するための形態】
【００２９】
図面及び以下の説明により、本発明の前述及び他の特徴は明らかになる。なお、明細書及び図面では、具体的に本発明の特定の実施方式が開示されているが、それは、本発明の原理を採用し得る一部の実施方式を示している。理解すべきは、本発明は、記載されている実施方式に限定されず、添付した特許請求の範囲内に属する全ての変更、変形及び代替によるものも含むということである。
【実施例１】
【００３０】
本発明の実施例では信号測定方法が提供され、以下、ユーザ装置側から本発明について説明する。
【００３１】
図1は本発明の実施例における信号測定方法のフローチャートである。図1に示すように、前記信号測定方法は次のステップを含み、即ち、
ステップ101：ユーザ装置が、一部のサブフレーム又は全てのサブフレーム中の時間周波数リソース上で受信信号に対して測定を行い、第一測定結果及び第二測定結果を取得し；
ステップ102：ユーザ装置が、第一測定結果及び第二測定結果に基づいて、チャネル品質を示すための情報を取得する。
【００３２】
本実施例では、第一測定結果は、受信した等価なノイズ及び干渉パワーの和（即ちI+N）であっても良く；第二測定結果は、時間周波数リソース上での参照信号（RS）に対しての測定の結果であっても良く、例えば、RSRPであっても良い。チャネル品質を示すための情報は、RRM測定のチャネル品質であっても良く、SINR（SINR、Signal  to  Interference  plus  Noise  Ratio）を含み、又は、RSSI及び／又はRSRQを含む。チャネル品質を示すための情報は、CSI測定の測定結果であっても良く、例えば、CQIであっても良い。本発明はこれに限定されず、実際の状況に応じて具体的な情報を確定しても良い。
【００３３】
例えば、ユーザ装置は、測定されたRSRP及び測定された等価なノイズ及び干渉パワーの和に基づいてSINRを算出し、そして、必要に応じて該SINRを基地局に報告しても良い。或いは、ユーザ装置は、測定されたRSRP及び測定された等価なノイズ及び干渉パワーの和に基づいてRSSI及び／又はRSRQを算出し、そして、ニーズに応じて該RSSI及び／又はRSRQを基地局に報告しても良い。
【００３４】
本実施例では、ユーザ装置は、第一測定結果及び第二測定結果に基づいて、チャネル品質を示すための情報を取得することができる。例えば、第一測定結果がI+Nであり、第二測定結果がRSRPであれば、SINR=RSRP／（I+N）に基づいて計算を行うことができる。
【００３５】
なお、以上、本発明中の第一測定結果、第二測定結果、及び、チャネル品質を示すための情報を例示に説明したが、本発明はこれに限定されず、実際の状況に応じて、具体的な第一測定結果、第二測定結果、及び、具体的にどのようにチャネル品質を示すための情報を計算するかを確定しても良い。
【００３６】
これにより、従来技術との相違点は、本発明は第一測定結果及び第二測定結果に基づいてチャネル品質を示すための情報を取得することで、クローズ状態にあるセルの影響を考慮することができ、これにより、測定結果を正確に得ることができるということにある。以下、第一測定結果がI+Nであり、第二測定結果がRSRPである場合のみ例として説明を行う。
【００３７】
図2は本発明の実施例における信号測定方法の他のフローチャートである。図2に示すように、前記信号測定方法は次のステップを含み、即ち、
ステップ201：ユーザ装置が、一部のサブフレーム又は全てのサブフレーム中の時間周波数リソース上で受信信号に対して測定を行い、等価なノイズ及び干渉パワーの和を取得し、また、受信信号に対して測定を行い、RSRPを取得し；
ステップ202：ユーザ装置が、等価なノイズ及び干渉パワーの和、及び、RSRPに基づいて、チャネル品質を示すための情報を取得し；
テップ203：ユーザ装置が測定情報を基地局に送信する。
【００３８】
本実施例では、ユーザ装置は、必要に応じて測定情報を基地局に送信しても良い。該測定情報は、次のような情報のうちの１つ又は組み合わせを含んでも良く、即ち、第一測定結果、第二測定結果、及び、ユーザ装置が得たチャネル品質を示すための情報である。
【００３９】
本実施例では、受信した等価なノイズ及び干渉パワーの和は、全てのOFDMシンボル上で、測定帯域幅内で観察し得る受信パワーの線形平均値；又は、測定のための信号を含まないOFDMシンボル上で、測定帯域幅内で観察し得る受信パワーの線形平均値であっても良い。そのうち、受信した等価なノイズ及び干渉パワーの和は、同一周波数の非サービングセルの信号、隣接チャネルによる干渉、及び熱ノイズに対しての測定の結果を含む。
【００４０】
表1〜表3は第一測定結果の異なる定義の例を示している。そのうち、A測定は、RSRQ測定又はSINR測定等であっても良い。
【表１】
2016536838.tif 000003
【表２】
2016536838.tif 000004
【表３】
2016536838.tif 000005
本実施例では、第二測定結果についても定義することができ、例えば、SINRは、次の表4に示すように定義されても良く、RSRQは、次の表5に示すように定義されても良い。
【表４】
2016536838.tif 000006
【表５】
2016536838.tif 000007
上述の表1〜表3から分かるように、本発明の実施例では従来のRSSI測定と同じ方式を採用しても良く、例えば、全てのOFDMシンボル上で、測定帯域幅内で観察し得る受信パワーの線形平均値を測定しても良い。しかしながら、その効果は異なるものである。RSSI測定の結果は、サービングセルの信号、同一周波数の非サービングセル、隣接チャネルによる干渉及び熱ノイズを含むが、クローズ状態にあるセルを考慮する時に、同じ時間周波数リソース上で測得した結果は、同一周波数のオープン状態にある非サービングセル、隣接チャネルによる干渉及び熱ノイズのみ含むことと等価であるようになる。よって、測定した結果は、受信した等価なノイズ及び干渉パワーである。
【００４１】
本実施例では、第一測定結果及び第二測定結果をそれぞれ測定し、且つ、第一測定結果及び第二測定結果を合併することで、所要なチャネル強度を得ることができる。これにより、クローズ状態にあるセルの影響を考慮することができ、測定結果を正確に得ることができる。
【００４２】
本実施例では、第一測定結果を得る時間周波数リソースは、一部のサブフレーム又は全てのサブフレーム中の全てのOFDMシンボルの複数の物理リソースブロックの全て又は一部のサブキャリア；又は、一部のサブフレーム又は全てのサブフレーム中の一部のOFDMシンボルの複数の物理リソースブロックの全て又は一部のサブキャリアを含んでも良い。
【００４３】
１つの実施方式では、クローズ状態のSmall  cellを測定するユーザ装置について、サブフレームを構成しなくても良く、即ち、全ての可用の下りサブフレーム中の全て又は一部のOFDMシンボル上で等価なノイズ及び干渉パワーの和を測定することができる。例えば、14個のOFDMシンボル上で測定を行い、そして、測定結果に対して平均を行っても良く；また、参照信号（RS）を含まないOFDMシンボル上での測定結果に対して平均を行っても良い。
【００４４】
図3は１つのサブフレーム中の全ての14個のOFDMシンボル上での測定を示す図であり；図4は１つのサブフレーム中の一部のOFDMシンボル上での測定を示す図である。図4に示すように、参照信号（RS）を含まない10個のみのOFDMシンボル上で測定を行っても良い。
【００４５】
他の実施方式では、一部のサブフレームは上位層シグナリングにより構成されても良く、一部のサブフレームの構成情報は、周期情報及び各周期内での一部のサブフレーム指示情報を含んでも良い。そのうち、一部のOFDMシンボルは上位層シグナリングにより構成されても良く又は予め定義されても良い。例えば、RSを含まないOFDMシンボルと構成されても良い。
【００４６】
具体的には、log2M又はMビットを用いて周期を示しても良く、例えば、2  bitsにより、周期の｛0,50,100,200｝のうちの１つを示し；また、M  bitsを用いて、各周期内でのどのサブフレームが測定に用いられ得るかを示しても良く、例えば、2  bitsにより、｛1、5、10、20｝のうちの１つを示す。
【００４７】
或いは、さらにKビットを用いて開始点を示しても良く、例えば、2ビットにより、開始点の{0,M／4,2／M,3／4M}のうちの１つを示す。これらの指示は、bitmapの形式であっても良く、他の形式であっても良い。
【００４８】
或いは、さらに一定の長さで一部のサブフレームを直接指示しても良く、例えば、長さがM=100であるbitmapシグナリングは、100を周期とすることを示し、また、その値が1であれば、それは、該サブフレームが測定のためのものであることを示す。
【００４９】
なお、以上、RRM測定の等価なノイズ及び干渉パワーの和を第一測定結果とし、RRM測定のRSRPを第二測定結果とする場合を例として説明したが、本発明はこれに限定されず、実際の状況に応じて具体的な測定結果を確定しても良く、例えば、CSI測定の等価なノイズ及び干渉パワーの和を第一測定結果とし、CSI測定のパイロット受信パワーを第二測定結果としても良い。
【００５０】
上述の実施例から分かるように、一部のサブフレーム又は全てのサブフレーム中の時間周波数リソース上で受信信号に対して測定を行い、第一測定結果及び第二測定結果を取得し、そして、第一測定結果及び第二測定結果に基づいて、チャネル品質を示すための情報を取得することで、クローズ状態にあるセルの影響を考慮することができ、これにより、測定結果を正確に得ることができる。
【実施例２】
【００５１】
本発明の実施例では信号測定方法が提供され、実施例1をもとに本発明について更に説明する。なお、同じ内容の記載は省略される。
【００５２】
図5は本発明の実施例における信号測定方法の他のフローチャートである。図5に示すように、前記信号測定方法は次のステップを含み、即ち、
ステップ501：ユーザ装置が、一部のサブフレーム又は全てのサブフレーム中の時間周波数リソース上で受信信号に対して測定を行い、第一測定結果及び第二測定結果を取得し；そのうち、第一測定結果のリソース及び第二測定結果のリソースはそれぞれ構成されているものであり；
ステップ502：ユーザ装置が、第一測定結果及び第二測定結果に基づいて、チャネル品質を示すための情報を取得する。
【００５３】
本実施例では、第一測定結果及び第二測定結果についても定義することができる。表6〜表8は第二測定結果の異なる定義の例を示している。
【表６】
2016536838.tif 000008
【表７】
2016536838.tif 000009
【表８】
2016536838.tif 000010
本実施例では、第一測定結果及び取得第二測定結果を取得するリソースはそれぞれ構成されているものであり、異なるものであっても良く；例えば、測定のためのサブフレームパターン（pattern）は、それぞれ、独立して構成されても良く、表9〜表11は、それぞれ、独立して構成された例を示している。
【表９】
2016536838.tif 000011
表9に示すように、そのうち、measSubframePatternNeigh-r10は、第一測定対象の構成であり、measSubframePatternNeigh1-r12は、第二測定対象の構成である。
【表１０】
2016536838.tif 000012
表10に示すように、そのうち、measSubframePatternNeigh1-r12は、第一測定対象の構成であり、measSubframePatternNeigh2-r12は、第二測定対象の構成である。
【００５４】
【表１１】
2016536838.tif 000013
【００５５】
表11に示すように、そのうち、measSubframePatternConfigNeigh-r10は、第一測定対象の構成であり、measSubframePatternConfigNeigh-r12は、第二測定対象の構成である。また、対応するmeasSubframePatternPCell中では、類似した変更を行うこともできる。
【００５６】
以上、それぞれ独立して構成を行うことを示したが、本発明はこれに限定されない。また、例えば、シグナリングにより、そのうちの１つの測定結果のために、１セットのみのパターンを明示的に（explicitly）構成してもよく、もう１つの測定結果のパターンは、この１セットのパターンにより、暗黙的に（implicitly）取得することができ、例えば、この１セットのパターンの補集合であっても良い。また、第一測定結果及び第二測定結果を取得するOFDMシンボル及び／又はサブキャリアも、異なるものであってよく；予め定義されても良く、又は、上位層により構成されても良い。
【００５７】
さらに、第一測定結果のために構成されるリソース及び第二測定結果のために構成されるリソースは、共通集合を有さなくても良い。例えば、第一測定結果及び取得第二測定結果を取得するサブフレーム構成は、重なり合わなくても良い。
【００５８】
本実施例では、オープン状態及び／又はクローズ状態のSmall  cellを測定するユーザ装置について、サブフレームを構成しても良く、これにより、ユーザ装置は、干渉に関する測定を行う時に、他のSmall  cellの送信信号のサブフレーム、及び、Small  cellの送信信号の無いサブフレームを区別することができる。
【００５９】
図6は本発明の実施例における信号測定の一例を示す図である。図6に示すように、１つのSmall  cellのcluster（クラスタ）には、三つのクローズ状態にあるセルCell  1／2／3及び１つのオープン状態にあるセルCell  4が含まれても良い。
【００６０】
図6に示すように、各クローズ状態にあるSmall  cell（Cell  1／2／3）が同じサブフレーム上でディスカバリー及び／又は測定用の信号を送信し、送信間隔周期がN  msであり、各N  ms内でのL  ms内で信号を送信し、L=1又はNよりも小さい整数又はNに等しい整数であり、例えば、N=200ms、L=5msであり；全てのクローズ状態にあるSmall  cellが各200msの前の5ms内でディスカバリー及び／又は測定用の信号を送信し；オープン状態にあるSmall  cell（Cell  4）が同じsubframe内でディスカバリー及び／又は測定用の信号を送信することができ、且つ他のsubframe内で送信することもできると仮定する。
【００６１】
すると、ユーザ装置が、他のクローズ状態にあるSmall  cellの送信信号が無いサブフレーム中でのみ全てのオープン状態にあるセルの干渉を測定するように構成しても良く、これにより、各200msの前の5msを避けることができる。例えば、図6では、点線楕円により囲まれている一部ののサブフレーム中で測定を行い、測定結果を第一測定結果とし；また、他の重なり合わないサブフレーム中で第二測定結果を取得する。
【００６２】
本実施例では、さらに複数セットのリソースを第一測定結果の取得のために構成しても良く、及び／又は、複数セットのリソースを第二測定結果の取得のために構成しても良い。
【００６３】
例えば、ユーザ装置のために複数セットの異なる第二測定結果を得るためのリソースを構成し、１セットのみの第一測定結果を得るためのリソースを構成し；ユーザ装置は、異なる第二測定結果と第一測定結果との和を算出し、異なるRSSIを得ることができる。さらに、ユーザ装置は、第二測定結果をRSSIと対応させ、異なるRSRQを得ることもできる。
【００６４】
或いは、ユーザ装置のために１セットの第二測定結果を得るためのリソースを構成し、複数セットの異なる第一測定結果を得るためのリソースを構成し；ユーザ装置は、第二測定結果と異なる第一測定結果との和を計算し、異なるRSSIを得ることができる。さらに、ユーザ装置は、第一測定結果をRSSIと対応させ、異なるRSRQを得ることもできる。
【００６５】
或いは、ユーザ装置のために複数セットの異なる第二測定結果を得るためのリソースを構成し、複数セットの異なる第一測定結果を得るためのリソースを構成し；ユーザ装置は、異なる第二測定結果と異なるの第一測定結果との加算を行い、異なるRSSIを得ることができる。
【００６６】
再び図6を例とし、図6中の点線楕円により囲まれている一部のサブフレーム中で測定結果1を取得することができ；ユーザ装置が、オープン状態にあるSmall  cellのRSRPを測定する時に、他のクローズ状態にあるSmall  cellの送信信号が無いサブフレーム中でのみ信号強度を測定するように構成することができ、その測定結果は測定結果2.aである。ユーザ装置が、クローズ状態にあるSmall  cellのRSRPを測定する時に、その測定信号を送信するサブフレーム中でのみ測定を行うように構成することができ、その測定結果は測定結果2.bである。
【００６７】
これにより、ユーザ装置は、必要に応じて、オープン状態にあるセルによる影響のみ考慮したRSRQを計算することができ、例えば、測定結果2.a／測定結果1である。或いは、ユーザ装置は、ニーズに応じて、オープン状態にあるセルによる影響のみ考慮したSINRを計算することができ、例えば、測定結果2.b／測定結果1である。或いは、ユーザ装置は、必要に応じて、クローズ状態にあるセルによる影響を考慮したRSRQを計算し、測定結果1と測定結果2.bとの和を得ることができ、例えば、測定結果2.b／（測定結果1+測定結果2.b）である。
【００６８】
図7は本発明の実施例における信号測定の他の一例を示す図である。図7に示すように、クローズ状態のSmall  cellの影響を表すために、ユーザ装置が異なるサブフレームで測定を行うように構成しても良い。
【００６９】
例えば、他のクローズ状態にあるSmall  cellの送信信号が無いサブフレーム中でのみ全てのオープン状態にあるセルの干渉を測定するように構成しても良く、即ち、各200msの前の5msを避ける。例えば、図7中の第一部分のサブフレームであり、その測定結果は測定結果1.aである。
【００７０】
また、ユーザ装置が、他のクローズ状態にあるSmall  cellの送信信号が有るサブフレーム中でのみ全てのセルの干渉を測定するように構成しても良く、即ち、各200msの前の5msであり、例えば、図7中の第二部分のサブフレームであり、その測定結果は測定結果1.bである。
【００７１】
また、ユーザ装置は、必要に応じて、それぞれ、クローズ状態のセルの影響のみ及びオープン状態にあるセルの影響のみ考慮したRSRQ又はSINRを計算することができる。例えば、測定結果2.a／測定結果1.a、及び、測定結果2.a／測定結果1.bを計算することができる。
【００７２】
本実施例では、ユーザ装置はさらに、必要に応じて、測定情報を基地局に報告しても良い。該測定情報は、次のような情報のうち１つ又は組み合わせを含んでもよく、即ち、第一測定結果、第二測定結果、及び、ユーザ装置が取得したチャネル品質を示すための情報である。
【００７３】
上述の実施例から分かるように、一部のサブフレーム又は全てのサブフレーム中の時間周波数リソース上で受信信号に対して測定を行い、第一測定結果及び第二測定結果を取得し、そして、第一測定結果及び第二測定結果に基づいて、チャネル品質を示すための情報を取得することで、クローズ状態にあるセルの影響を考慮することができ、これにより、測定結果を正確に得ることができる。
【実施例３】
【００７４】
本発明の実施例ではユーザ装置が提供され、それは実施例1又は実施例2に記載の信号測定方法に対応するため、実施例1又は実施例2と同じ内容の記載は省略される。
【００７５】
図8は本発明の実施例におけるユーザ装置の構成図である。図8に示すように、ユーザ装置800は、信号測定ユニット801及び情報取得ユニット802を含み、便宜のため、ユーザ装置800の一部は示されていないが、従来技術を参照することができる。
【００７６】
そのうち、信号測定ユニット801は、一部のサブフレーム又は全てのサブフレーム中の時間周波数リソース上で受信信号に対して測定を行い、第一測定結果及び第二測定結果を取得し；情報取得ユニット802は、第一測定結果及び第二測定結果に基づいて、チャネル品質を示すための情報を取得する。
【００７７】
１つの実施方式では、第一測定結果は、ノイズ及び干渉パワーの和であっても良く；第二測定結果は、時間周波数リソース上での参照信号に対しての測定の結果であっても良い。
【００７８】
他の実施方式では、第一測定結果のリソース及び第二測定結果のリソースは、それぞれ、構成されているものであり、また、リソースの構成は、異なっても良い。
【００７９】
図9は、本発明の実施例におけるユーザ装置の他の構成図である。図9に示すように、ユーザ装置900は、信号測定ユニット801及び情報取得ユニット802を上述のように含む。
【００８０】
図9に示すように、ユーザ装置900は更に情報報告ユニット903を含み、それは、測定情報を基地局に報告しても良い。該測定情報は、次のような情報のうちの１つ又は組み合わせを含んでも良く、即ち、第一測定結果、第二測定結果、及び、チャネル品質を示すための情報である。
【００８１】
上述の実施例から分かるように、一部のサブフレーム又は全てのサブフレーム中の時間周波数リソース上で受信信号に対して測定を行い、第一測定結果及び第二測定結果を取得し、そして、第一測定結果及び第二測定結果に基づいて、チャネル品質を示すための情報を取得することで、クローズ状態にあるセルの影響を考慮することができ、これにより、測定結果を正確に得ることができる。
【実施例４】
【００８２】
本発明の実施例では信号測定方法が提供され、以下、基地局側から本発明について説明する。なお、実施例1と同じ内容の記載は省略される。
【００８３】
図10は本発明の実施例における信号測定方法のフローチャートである。図10に示すように、前記信号測定方法は次のステップを含み、即ち、
ステップ1001：基地局が上位層シグナリングによりユーザ装置のためにリソースを構成し、これにより、ユーザ装置は、一部のサブフレーム又は全てのサブフレーム中の時間周波数リソース上で受信信号に対して測定を行い、第一測定結果及び第二測定結果を取得し；
そのうち、第一測定結果は、受信した等価なノイズ及び干渉パワーの和であり；第二測定結果は、時間周波数リソース上での参照信号に対しての測定の結果である。
【００８４】
図10に示すように、該方法は更に次のステップを含んでも良く、即ち、
ステップ1002：基地局がユーザ装置の送信した測定情報を受信し；
そのうち、該測定情報は第一測定結果、第二測定結果、又は、チャネル品質を示すための情報であっても良く、該チャネル品質を示すための情報は、ユーザ装置が第一測定結果及び第二測定結果に基づいて取得することができる。
【００８５】
本実施例では、基地局は、ユーザ装置が送信したチャネル品質を示すための情報、例えば、SINR、RSSI、RSRQ等を直接受信することができる。また、基地局は更に必要に応じて、受信した測定情報に基づいて、チャネル品質を示すための情報を計算することもできる。
【００８６】
１つの実施方式では、基地局は、第一測定結果（例えば、I+N）及び第二測定結果（例えば、RSRP）を受信してSINRを計算しても良い。他の実施方式では、基地局は、第二測定結果（例えば、RSRP）及びチャネル品質を示すための情報（例えば、SINR）を受信してRSSI及び／又はRSRQを計算しても良い。本発明はこれに限定されず、実際の状況に応じて具体的な実施方式を確定しても良い。
【００８７】
上述の実施例から分かるように、一部のサブフレーム又は全てのサブフレーム中の時間周波数リソース上で受信信号に対して測定を行い、第一測定結果及び第二測定結果を取得し、そして、第一測定結果及び第二測定結果に基づいてチャネル品質を示すための情報を取得することで、クローズ状態にあるセルの影響を考慮することができ、これにより、測定結果を正確に得ることができる。
【実施例５】
【００８８】
本発明の実施例では信号測定方法が提供され、以下、基地局側から本発明について説明する。なお、実施例2と同じ内容の記載は省略される。
【００８９】
図11は本発明の実施例における信号測定方法のフローチャートである。図11に示すように、前記信号測定方法は次のステップを含み、即ち、
ステップ1101：基地局が、ユーザ装置のためにそれぞれ第一測定結果及び第二測定結果のためのリソースを構成し；これにより、ユーザ装置は、一部のサブフレーム又は全てのサブフレーム中の時間周波数リソース上で受信信号に対して測定を行い、第一測定結果及び第二測定結果を取得する。
【００９０】
図11に示すように、該方法は更に次のステップを含んでも良く、即ち、
ステップ1102：基地局が、ユーザ装置の送信した測定情報を受信する。そのうち、該測定情報は、第一測定結果、第二測定結果、又は、チャネル品質を示すための情報であっても良く、該チャネル品質を示すための情報は、ユーザ装置が第一測定結果及び第二測定結果に基づいて取得することができる。
【００９１】
本実施例では、基地局は、ユーザ装置が送信したチャネル品質を示すための情報、例えばSINR、RSSI、RSRQ等を直接受信することができる。また、基地局は更に必要に応じて、受信した測定情報に基づいて、チャネル品質を示すための情報を計算することもできる。
【００９２】
１つの実施方式では、基地局は、第一測定結果（例えばI+N）及び第二測定結果（例えばRSRP）を受信してSINRを計算しても良い。他の実施方式では、基地局は、第二測定結果（例えばRSRP）及びチャネル品質を示すための情報（例えばSINR）を受信してRSSI及び／又はRSRQを計算しても良い。なお、本発明はこれに限定されず、実際の状況に応じて具体的な実施方式を確定しても良い。
【００９３】
本実施例では、基地局は、ユーザ装置のために複数セットのリソースを第一測定結果の取得のために構成しても良く、及び／又は、基地局は、ユーザ装置のために複数セットのリソースを第二測定結果の取得のために構成しても良い。
【００９４】
上述の実施例から分かるように、一部のサブフレーム又は全てのサブフレーム中の時間周波数リソース上で受信信号に対して測定を行い、第一測定結果及び第二測定結果を取得し、そして、第一測定結果及び第二測定結果に基づいて、チャネル品質を示すための情報を取得することで、クローズ状態にあるセルの影響を考慮することができ、これにより、測定結果を正確に得ることができる。
【実施例６】
【００９５】
本発明の実施例では基地局が提供され、それは実施例4又は実施例5に記載の信号測定方法に対応するため、実施例4又は実施例5と同じ内容の記載は省略される。
【００９６】
図12は本発明の実施例における基地局の構成図である。図12に示すように、基地局1200はリソース構成ユニット1201を含む。便宜のため、基地局1200の他の一部は示されていないが、従来技術を参照することができる。
【００９７】
１つの実施方式では、リソース構成ユニット1201は上位層シグナリングによりユーザ装置のためにリソースを構成し、これにより、ユーザ装置は一部のサブフレーム又は全てのサブフレーム中の時間周波数リソース上で受信信号に対して測定を行い、第一測定結果及び第二測定結果を取得し；そのうち、第一測定結果は、受信した等価なノイズ及び干渉パワーの和であり；第二測定結果は、時間周波数リソース上での参照信号に対しての測定の結果である。
【００９８】
他の実施方式では、リソース構成ユニット1201はユーザ装置のためにそれぞれ第一測定結果及び第二測定結果のためのリソースを構成し；これにより、ユーザ装置は一部のサブフレーム又は全てのサブフレーム中の時間周波数リソース上で受信信号に対して測定を行い、第一測定結果及び第二測定結果を取得することができる。
【００９９】
図13は本発明の実施例における基地局の他の構成図である。図13に示すように、基地局1300はリソース構成ユニット1201を含む。便宜のため、基地局1300の他の一部は示されていないが、従来技術を参照することができる。
【０１００】
図13に示すように、基地局1300は更に情報受信ユニット1302を含み；情報受信ユニット1202はユーザ装置が送信した測定情報を受信する。該測定情報はあ、次のような情報のうちの１つ又は組み合わせを含んでも良く、即ち、第一測定結果、第二測定結果及びチャネル品質を示すための情報であり；該チャネル品質を示すための情報はユーザ装置が第一測定結果及び第二測定結果に基づいて取得することができる。
【０１０１】
上述の実施例から分かるように、一部のサブフレーム又は全てのサブフレーム中の時間周波数リソース上で受信信号に対して測定を行い、第一測定結果及び第二測定結果を取得し、そして、第一測定結果及び第二測定結果に基づいて、チャネル品質を示すための情報を取得することで、クローズ状態にあるセルの影響を考慮することができ、これにより、測定結果を正確に得ることができる。
【実施例７】
【０１０２】
本発明の実施例では更に通信システムが提供され、それは実施例3に記載のユーザ装置及び実施例6に示すような基地局を含む。
【０１０３】
図14は本発明の実施例における通信システムの構成図である。図14に示すように、該通信システム1400はユーザ装置1401及び基地局1402を含む。そのうち、ユーザ装置1401は、実施例3中のユーザ装置800又は900であっても良く；基地局1402は、実施例6中の基地局1200又は1300であっても良い。基地局1402は、クローズ状態又はオープン状態にあるセルの基地局であっても良い。
【０１０４】
本発明の実施例では更にコンピュータ可読プログラムが提供され、そのうち、ユーザ装置中で前記プログラムを実行する時、前記プログラムは、コンピュータに、前記ユーザ装置中で実施例1又は2に記載の信号測定方法を実行させる。
【０１０５】
本発明の実施例では更にコンピュータ可読プログラムを記憶した記憶媒体が提供され、そのうち、前記コンピュータ可読プログラムは、コンピュータに、ユーザ装置中で実施例1又は2に記載の信号測定方法を実行させる。
【０１０６】
本発明の実施例では更にコンピュータ可読プログラムが提供され、そのうち、基地局中で前記プログラムを実行する時に、前記プログラムは、コンピュータに、前記基地局中で実施例4又は5に記載の信号測定方法を実行させる。
【０１０７】
本発明の実施例では更にコンピュータ可読プログラムを記憶した記憶媒体が提供され、そのうち、前記コンピュータ可読プログラムは、コンピュータに、基地局中で実施例4又は5に記載の信号測定方法を実行させる。
【０１０８】
本発明の以上の装置及び方法は、ソフトウェア又はハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は更に、上述のプログラムを記憶した記憶媒体、例えば、ハードディスク、磁気ディスク、光ハードディスク、DVD、flashメモリなどにも関する。
【０１０９】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2016536838.tif 000014
【図２】
2016536838.tif 000015
【図３】
2016536838.tif 000016
【図４】
2016536838.tif 000017
【図５】
2016536838.tif 000018
【図６】
2016536838.tif 000019
【図７】
2016536838.tif 000020
【図８】
2016536838.tif 000021
【図９】
2016536838.tif 000022
【図１０】
2016536838.tif 000023
【図１１】
2016536838.tif 000024
【図１２】
2016536838.tif 000025
【図１３】
2016536838.tif 000026
【図１４】
2016536838.tif 000027
【手続補正書】
【提出日】平成28年5月2日(2016.5.2)
【手続補正１】
【補正対象書類名】特許請求の範囲
【補正対象項目名】全文
【補正方法】変更
【補正の内容】
【特許請求の範囲】
【請求項１】
ユーザ装置であって、
一部のサブフレーム又は全てのサブフレーム中の時間周波数リソース上で受信信号に対して測定を行い、第一測定結果及び第二測定結果を取得するための信号測定ユニットであって、前記第一測定結果は、等価なノイズ及び干渉パワーの和であり、前記第二測定結果は、前記時間周波数リソース上での参照信号に対しての測定の結果である、信号測定ユニット；及び
前記第一測定結果及び前記第二測定結果に基づいて、チャネル品質を示すための情報を取得するための情報取得ユニットを含む、ユーザ装置。
【請求項２】
請求項１に記載のユーザ装置であって、
受信した等価なノイズ及び干渉パワーの和は、全てのOFDMシンボル上で、測定帯域幅内において観察し得る受信パワーの線形平均値であり；又は、測定のための信号を含まないOFDMシンボル上で、測定帯域幅内において観察し得る受信パワーの線形平均値である、ユーザ装置。
【請求項３】
請求項1に記載のユーザ装置であって、
前記一部のサブフレームは上位層シグナリングにより構成され、前記一部のサブフレームの構成情報は周期情報及び各周期内の一部のサブフレームの指示情報を含む、ユーザ装置。
【請求項４】
請求項１に記載のユーザ装置であって、
前記チャネル品質を示すための情報は信号対干渉雑音比を含み；又は、受信信号強度指示及び／又は参照信号受信品質を含む、ユーザ装置。
【請求項５】
請求項１に記載のユーザ装置であって、
前記第一測定結果を取得するための時間周波数リソースは、
前記一部のサブフレーム又は全てのサブフレーム中の全てのOFDMシンボルの複数の物理リソースブロックの全て又は一部のサブキャリア；又は
前記一部のサブフレーム又は全てのサブフレーム中の一部のOFDMシンボルの複数の物理リソースブロックの全て又は一部のサブキャリアを含む、ユーザ装置。
【請求項６】
請求項１に記載のユーザ装置であって、
測定情報を基地局に報告するための情報報告ユニットを更に含み、
前記測定情報は、前記第一測定結果、前記第二測定結果、及び、前記チャネル品質を示すための情報のうちの１つ又は組み合わせを含む、ユーザ装置。
【請求項７】
ユーザ装置であって、
一部のサブフレーム又は全てのサブフレーム中の時間周波数リソース上で受信信号に対して測定を行い、第一測定結果及び第二測定結果を取得するための信号測定ユニットであって、前記第一測定結果のリソース及び前記第二測定結果のリソースはそれぞれ構成されているものである、信号測定ユニット；及び
前記第一測定結果及び第二測定結果に基づいて、チャネル品質を示すための情報を取得するための情報取得ユニットを含む、ユーザ装置。
【請求項８】
請求項７に記載のユーザ装置であって、
前記第一測定結果及び前記第二測定結果のためのシグナリングは、それぞれ、測定のためのサブフレームパターンを明示的に構成するために用いられ；又は
前記第一測定結果及び前記第二測定結果のうち、１つの測定結果を明示的に指示し、もう１つの測定結果のサブフレームパターンを暗黙的に指示するシグナリングは、１セットのサブフレームパターンを構成するために用いられる、ユーザ装置。
【請求項９】
請求項７に記載のユーザ装置であって、
前記第一測定結果のために構成されているリソース及び前記第二測定結果のために構成されているリソースは重なり合わず；又は
前記第一測定結果のために構成されているリソース及び前記第二測定結果のために構成されているリソースは完全に重なり合うことができない、ユーザ装置。
【請求項１０】
請求項７に記載のユーザ装置であって、
前記第一測定結果及び第二測定結果に基づいて、チャネル品質を示すための情報を取得することは、前記第一測定結果及び前記第二測定結果の和を計算し、これにより、受信信号強度指示情報を得ることを含む、ユーザ装置。
【請求項１１】
請求項７に記載のユーザ装置であって、
複数セットのリソースを前記第一測定結果の取得のために構成し、及び／又は、複数セットのリソースを前記第二測定結果の取得のために構成する、ユーザ装置。
【請求項１２】
請求項７に記載のユーザ装置であって、
クローズ状態にあるセルの送信信号を含まないサブフレームのみでオープン状態にあるセルの干渉を測定し、前記第一測定結果を取得し；及び
クローズ状態にあるセルの送信信号を含まないサブフレームで信号強度を測定し、オープン状態にあるセルの前記第二検測結果を取得し、又は、クローズ状態にあるセルの送信信号のサブフレームで信号強度を測定し、前記クローズ状態にあるセルの前記第二検測結果を取得する、ユーザ装置。
【請求項１３】
請求項７に記載のユーザ装置であって、
測定情報を基地局に報告するための情報報告ユニットを更に含み、
前記測定情報は、前記第一測定結果、前記第二測定結果、及び、前記チャネル品質を示すための情報のうちの１つ又は組み合わせを含む、ユーザ装置。
【請求項１４】
基地局であって、
リソース構成ユニットを含み、
前記リソース構成ユニットは、上位層シグナリングによりユーザ装置のためにリソースを構成し、これにより、前記ユーザ装置は、一部のサブフレーム又は全てのサブフレーム中の時間周波数リソース上で受信信号に対して測定を行い、第一測定結果及び第二測定結果を取得し、
前記第一測定結果は、受信した等価なノイズ及び干渉パワーの和であり、前記第二測定結果は、前記時間周波数リソース上での参照信号に対しての測定の結果である、基地局。
【請求項１５】
請求項１４に記載の基地局であって、
前記ユーザ装置が送信した測定情報を受信するための情報受信ユニットを更に含み、
前記測定情報は、第一測定結果、第二測定結果、及び、チャネル品質を示すための情報のうちの１つ又は組み合わせを含み、前記チャネル品質を示すための情報は、前記ユーザ装置により前記第一測定結果及び前記第二測定結果に基づいて取得される、基地局。
【請求項１６】
基地局であって、
リソース構成ユニットを含み、
前記リソース構成ユニットは、ユーザ装置のために、第一測定結果及び第二測定結果を得るためのリソースをそれぞれ構成し、これにより、前記ユーザ装置は、一部のサブフレーム又は全てのサブフレーム中の時間周波数リソース上で受信信号に対して測定を行い、前記第一測定結果及び前記第二測定結果を得る、基地局。
【請求項１７】
請求項１６に記載の基地局であって、
前記ユーザ装置が送信した測定情報を受信するための情報受信ユニットを更に含み、
前記測定情報は、第一測定結果、第二測定結果、及び、チャネル品質を示すための情報のうちの１つ又は組み合わせを含み、前記チャネル品質を示すための情報は、前記ユーザ装置により前記第一測定結果及び前記第二測定結果に基づいて取得される、基地局。
【請求項１８】
通信システムであって、
請求項１に記載のユーザ装置、及び、請求項１４に記載の基地局を含み；或いは
請求項７に記載のユーザ装置、及び、請求項１６に記載の基地局を含む、通信システム。
【国際調査報告】
2016536838.tif 000028
2016536838.tif 000029
2016536838.tif 000030
2016536838.tif 000031